(57)【特許請求の範囲】
【請求項１】
冷凍室と冷蔵室を区画する断熱仕切り壁と、前記冷凍室を開閉する冷凍室扉と、前記冷蔵室を開閉する冷蔵室扉と、前記冷凍室の背面側に該冷凍室と区画して設けた冷却器室と、該冷却器室内に配置された冷却器と、前記冷却器室内に配置された冷凍室用送風機及び冷蔵室用送風機と、前記冷却器室から前記冷蔵室に冷気を送る冷気通路と、を備えた冷蔵庫において、
前記冷気通路は前記断熱仕切り壁内の後部より前方に向けて形成され、前記冷蔵室用送風機で送風される冷気は、前記冷気通路の前部の第一の吹き出し口から、前記冷蔵室扉に設けた収納部の上方から下方に向けて吹き出すことを特徴とする冷蔵庫。
【請求項２】
前記冷凍室用送風機及び前記冷蔵室用送風機は、それぞれ前記冷凍室及び前記冷蔵室に冷気を送風し、前記冷凍室及び前記冷蔵室を独立して送風して冷却することを特徴とする、請求項１記載の冷蔵庫。
【請求項３】
前記冷気通路は、冷気を前記冷蔵室背面から該冷蔵室内に吹き出す第二の吹き出し口を備えた第二の冷気通路に接続していることを特徴とする、請求項１記載の冷蔵庫。
【請求項４】
前記冷気通路の途中に該冷気通路に送風する冷気量を調整する電動ダンパーを備えたことを特徴とする、請求項１記載の冷蔵庫。
【請求項５】
前記第一の吹き出し口から吹き出された冷気、及び前記第二の吹き出し口から吹き出された冷気を前記冷却器室に戻すための戻り通路を、前記冷蔵室背部に設けたことを特徴とする、請求項３記載の冷蔵庫。
【請求項６】
前記第一の吹き出し口から吹き出された冷気、及び前記第二の吹き出し口から吹き出された冷気を前記冷却器室に戻すための戻り通路は、前記冷蔵室下部に設けた容器と前記冷蔵室底面との間の隙間通路を通った冷気が流れるように冷蔵室背部に設けたことを特徴とする、請求項３記載の冷蔵庫。
【請求項７】
前記冷凍室用送風機及び前記冷蔵室用送風機は、前記冷却器の上方に位置して該冷却器を経た冷気を吸い込み、前記冷蔵室用送風機は前記収納部及び前記冷蔵室に向け冷気を吹き出すことを特徴とする、請求項５記載の冷蔵庫。
【請求項８】
前記冷却器と前記冷却器室の前壁との間、及び前記冷却器と前記冷却器室の後壁との間であって、前記冷却器の下方域に、着霜分布の偏りを抑制する５〜１０mmの空間を設けたことを特徴とする、請求項５記載の冷蔵庫。
【請求項９】
圧縮機の停止時に、前記冷蔵室用送風機が運転されて、前記冷却器に付着した霜の潜熱で冷却された冷気が前記第一の吹き出し口及び前記第二の吹き出し口から吹き出されることを特徴とする、請求項５記載の冷蔵庫。
【請求項１０】
前記冷却器に付着した霜の潜熱で冷却した冷気を前記冷蔵室に送風し、前記冷却器に付着した霜が所定量以下に減少して、前記冷蔵室の温度が所定値以下になった場合、前記冷蔵室への冷気の送風を停止して、前記冷蔵室の温度が所定値以上になった場合、前記冷蔵室への送風を継続して且つ前記圧縮機を運転することを特徴とする、請求項９記載の冷蔵庫。
【発明の詳細な説明】
【技術分野】
【０００１】
本発明は、冷蔵庫に関する。
【背景技術】
【０００２】
従来の冷蔵庫は、冷凍室の後方にファンガード，仕切り板等を介し冷却器、及び送風機等を設置する冷却器室を設けている。通常、この冷却器室の奥行き寸法は略冷却器の厚みに近く、幅及び高さ寸法は冷凍室内の後方部分（背面板部）と同等の寸法である。最近は冷蔵庫の大型化に伴って上記冷却器も大型化の傾向にあるが、冷却器の幅寸法よりも冷凍室（冷却室）の幅寸法が大幅に大きくなっている。
【０００３】
例えば、冷却器の厚さが５０mm〜１００mmであった場合、冷却器室の奥行きはほぼ５０mm〜１００mm以上となる、そして、幅寸法は冷凍室内部の背面板部の全幅となる。
【０００４】
しかし、冷却器の幅はこれに追従して大きくしていないため、冷却器に空気が流れるように冷却器の側方を仕切り部材で覆うか断熱材で埋めていたため、冷蔵庫の容積の一部を無駄にしていた。
【０００５】
特許文献１に記載の構成では、冷却器の両側が無駄にされている。更に特許文献１では、冷却器の周囲を覆って冷却器室を構成し、この冷却器室の上方に送風機を配置し、冷却器室の背面側に冷蔵室に冷気を送風するための冷気通路を形成している。冷気通路からの冷気は、冷蔵室背面部に位置する冷気放出口から冷蔵室に放出し、冷蔵室内の食品を冷却後に冷蔵室前方の上面に設けられた孔から冷却器に戻る構成をしている。
【０００６】
特許文献２に示された冷蔵庫は、冷凍室と中間貯蔵室間を断熱区画する第二仕切り壁内に冷却器と、この冷却器を収納する冷却室を設け、この冷却室後方の主送風機室内に主送風機を、中間貯蔵室の背面側に位置する副送風機室内に副送風機を設けている。
【０００７】
この副送風機によって、冷蔵庫の収納空間の奥部（背面壁部）吐出口から前方（扉側）に向かって冷気を吹き出す、構造である。
【０００８】
次に特許文献３に示された冷蔵庫は、冷凍室，温度切換室，冷蔵室等を有する冷蔵庫の各室の背面側空間に送風機及びダンパー等を設け、更に冷凍室と野菜室の背面側空間に跨って冷却器室を構成し、その冷却器室内に冷却器を設置している。そしてこの冷蔵庫も、各室の背面側空間に設けた送風機によって冷気を冷蔵庫の収納空間の奥部（背面壁部）から前方（扉側）に向かって吹き出すようにしている。
【０００９】
尚、上記冷蔵庫は、冷蔵室送風機を冷蔵室の背面側空間に設け、冷蔵室ダンパーは冷却器室内に設けている。
【００１０】
また、特許文献４に示された冷蔵庫は、冷凍室と冷却器室等間を仕切り板で区画し、冷却器室内に冷却器及び冷凍室用送風機，冷蔵室用送風機を設置し、冷凍室は上記仕切り板に設けた冷凍室冷気吐出風路から冷凍室用送風機を使って冷気を吹き出し、冷凍室冷気戻り風路から冷却器下部に戻す冷気風路を構成している。
【００１１】
また、冷蔵室においては、冷蔵室収納空間の奥部（背面壁部）全体に設けられた冷気吹き出し口から冷気を吹き出し、冷凍室と冷蔵室を区画する区画壁前部に設けられた吸い込み口に戻す冷気風路を構成している。
【先行技術文献】
【特許文献】
【００１２】
【特許文献１】特許第３０７３６３６号公報
【特許文献２】実公昭６１−３５９１０号公報
【特許文献３】特許第４３５７４４８号公報
【特許文献４】特許第２９２２１２９号公報
【発明の概要】
【発明が解決しようとする課題】
【００１３】
特許文献１から４に示された冷蔵庫は、冷気が、冷蔵室背面部の冷気放出口から冷蔵室に放出されるため、冷気放出口近くの食品に遮られて冷蔵室前方部分の食品まで冷気が届き難い。このため、扉ポケット付近に流れてくる時点では、冷蔵室内の食品を冷却して冷気の温度が上昇しており、冷蔵室前方部分の食品および扉ポケットに収納した食品の冷却を短時間に冷却できない。そればかりか、扉と冷蔵庫の接している部分は、冷蔵庫外部の空気の熱が熱伝導して加熱される。このため、冷蔵庫外部の空気の温度の高い季節や環境においては、扉と冷蔵庫の接している付近の庫内温度は他の部分よりも温度が高くなり易い。また、特許文献１から３は、以下の特性を有する。
【００１４】
特許文献１に示された冷蔵庫は、冷却器の両側の容積が無駄になっており且つ、冷却器室の背面側に冷蔵室に冷気を送風するための冷気通路を形成しているため、冷却器室の奥行き寸法に加えて冷気通路の奥行き寸法の分が大きくなる。
【００１５】
特許文献２に示された冷蔵庫は、冷凍室と冷凍室下方の収納室を区画する第二仕切り壁内に冷却器等を設置する冷蔵庫である。この種の冷蔵庫は、冷凍室内の奥行き方向寸法が大きくなるので奥行き方向には広く利用できるが、第二仕切り壁内の上下面部に位置する室の上下方向の寸法が小さくなる。このように奥行き方向に広い場合は、奥に収納した食品が手前の食品によって取出し難いため、実質的な使用を考慮した内容積効率の面で採用が控えられてきている。特に第二仕切り壁の一側面が冷蔵室等となる冷蔵庫においては、冷凍室との温度差が大きいため、断熱壁の厚さを大きく確保する必要があり、内容積確保の効率が低い。
【００１６】
特許文献３に示された冷蔵庫は、冷蔵室の背面側は冷蔵室送風機が設けられている容積の分、冷蔵室内が有効に使えない。
【００１７】
上記課題に鑑みて本発明は、扉ポケットに設置又は収納された食品の冷却時間を短縮できると共に所定の温度に効率よく冷却できる冷蔵庫を提供することを目的とする。
【課題を解決するための手段】
【００１８】
上記課題を解決するために、例えば特許請求の範囲に記載の構成を採用する。その一例として、冷凍室と冷蔵室を区画する断熱仕切り壁と、前記冷凍室を開閉する冷凍室扉と、前記冷蔵室を開閉する冷蔵室扉と、前記冷凍室の背面側に該冷凍室と区画して設けた冷却器室と、該冷却器室内に配置された冷却器と、前記冷却器室内に配置された冷凍室用送風機及び冷蔵室用送風機と、前記冷却器室から前記冷蔵室に冷気を送る冷気通路と、を備えた冷蔵庫において、前記冷気通路は前記断熱仕切り壁内の後部より前方に向けて形成され、前記冷蔵室用送風機で送風される冷気は、前記冷気通路の前部の第一の吹き出し口から、前記冷蔵室扉に設けた収納部の上方から下方に向けて吹き出すことを特徴とする。
【発明の効果】
【００１９】
本発明によれば、扉ポケットに設置又は収納された食品を効率よく冷却できる冷蔵庫を提供することができる。
【図面の簡単な説明】
【００２０】
【図１】本発明の実施形態の幅広の冷凍冷蔵庫の扉開放状態を示す正面図である。
【図２】図１の冷凍冷蔵庫の冷凍室，冷蔵室内と冷気の流れを説明する拡大説明図である。
【図３】図２のＡ−Ａ断面図である。
【図４】図２のＢ−Ｂ断面図である。
【図５】図４のＰ部拡大説明図である。
【図６】本発明の実施形態の冷凍冷蔵庫の送風機による冷気の流れの模式図である。
【図７】本発明の実施形態の冷蔵室用送風機で扉ポケット内の飲料水を冷却する冷気の流れを説明する図である。
【図８】外気温や各室の温度状態に合わせ送風機と圧縮機を個別に制御し、急速運転，省エネルギー運転を行う冷凍冷蔵庫の動作説明図である。
【図９】低負荷時と高負荷時の圧縮機及び送風機等の運転状態を説明する図で、特に霜冷却運転を説明する基本制御動作説明図である。
【発明を実施するための形態】
【００２１】
以下、本発明の一実施形態の冷蔵庫について、図を用いて説明する。図１は冷凍冷蔵庫の扉開放状態を示す正面図、図２は図１の冷凍室，冷蔵室内と冷気の流れを説明する拡大説明図、図３は図２のＡ−Ａ断面図、図４は図２のＢ−Ｂ断面図、図５は図４のＰ部拡大説明図である。
【００２２】
先ず、図１，図２において、１は冷凍冷蔵庫本体、この本体１は内容積が６００Ｌ、或いは７００Ｌを有するもので、組み込まれる冷却器１６（後述する）の幅が５００mmを超え、冷凍冷蔵庫の箱体２寸法は７５０〜８００mmを超える幅寸法の大きい冷凍冷蔵庫である。この箱体２内部には、冷凍室３及び冷蔵室４と、これらの前面開口部をそれぞれ閉塞する冷凍室扉５と冷蔵室扉６とを備える。
【００２３】
冷蔵室扉ポケット７には、飲料水を内蔵した貯水タンク（又はボトル）８が図に示す如く収納されている。断熱仕切り壁９で、上記室温が略−１８℃の冷凍室３と室温が略３℃の冷蔵室４とを断熱区画している。仕切り板（又はファンガード）１０は、冷凍室の背面側に設けられて冷凍室３と冷却器室１１とを区画する。この仕切り板１０は冷凍室用送風機１４が冷凍室に吹き出す冷気吹き出し口１２と、冷凍室３に吹き出された冷気を冷却器１６下部に戻すための冷気吸い込み口１３を有する。
【００２４】
次に図２，図３，図４において、１５は先の冷凍室用送風機１４と同様冷却器１６の上部に、しかも冷凍室用送風機１４と併設するよう設けられた冷蔵室用送風機である。この冷蔵室用送風機１５及び先の冷凍室用送風機１４とはそれぞれを独立して動作させる冷凍室用温度制御器及び冷蔵室用温度制御器（何れも図示せず）を備えており、これによって両送風機１４，１５は独立して運転される。
【００２５】
即ち、冷凍室用送風機１４は冷却器１６で冷却された冷気を冷気吹き出し口１２から冷凍室３に吹き出し、それを冷気吸い込み口１３より冷却器１６に回収する。これを繰り返すことによって、冷凍室３は設定温度例えば−１８℃に冷却する働きをする。
【００２６】
一方の冷蔵室用送風機１５は冷却器１６を経た冷気を、後述する送風路である送風ダクト１７、断熱仕切り壁９に形成した冷気通路１８等を介して冷蔵室４の扉ポケット（収納部）上部に吹き出す。冷蔵室４，扉ポケット部を冷却した冷気は、冷蔵室４底部に設けられた容器１９と内箱２ａ底面との間の隙間通路２０及びＲ室戻り冷気通路２８を介して冷却器１６に戻る冷気循環を行う。
【００２７】
この時、上記冷却器１６の冷気戻り口近くは図４にも示す如く冷却器１６の前面と仕切り板１０との間、及び冷却器１６と内箱２ａとの間に隙間５.０〜１０.０mmの空間（冷気バイパス）Ａ，Ｂを設けて置く。尚この空間Ａ，Ｂは冷却器１６の下方略全域に設けられている。
【００２８】
そして、この隙間Ａ，Ｂは冷却器１６への着霜分布（下面が霜で先に塞がり、上面には霜が付いていないと言う現象）の偏りをなくし冷却器の冷却性能低下を防止している。
【００２９】
１７は送風ダクトである、この送風ダクト１７は図２，図３にも示す如く冷却器室１１内であって、冷却器１６，冷蔵室用送風機１５の側方にできる無効空間を利用して設けられている。
【００３０】
即ち、先に説明した如く、幅広の冷凍冷蔵庫であることから、冷却器１６を図２にも示す如く内箱２ａの一側壁によせて設置すると、冷却器１６の側方には通常５０mm以上の空間ができる。上記送風ダクト１７は、この空間を利用して図２に破線で示すとおり設けた。この送風ダクト１７は、スチロフォーム等の断熱材を型で成形してダクト状に作ったもので、これを内箱２ａに図２及び図３に図示の如く設けた。
【００３１】
２１は、上記冷蔵室用送風機１５のマウスリングである。このマウスリング２１は、図２，図３に示す如く冷蔵室用送風機１５が送風する冷気を、送風路である送風ダクト１７に導く案内用通路２２を構成する。
【００３２】
また、上記送風路である送風ダクト１７は、断熱仕切り壁９に設けられた冷気通路１８に図３に示す如く連接し、送風ダクト１７内の冷気が冷気通路１８側に流れるように構成されている。尚、送風路である送風ダクト１７は、冷気通路１８と一体に作ってもよい。
【００３３】
ここで上記冷気通路１８について図３を用いて説明する。上記冷気通路１８の一方の開口１８ａは送風ダクト１７に連接する所に開口し、他方端の開口１８ｂは扉ポケット７の上段７ａ部に対向するよう設けられた吹き出し口である。以下、吹き出し口１８ｂと称する。即ち、冷気通路１８は扉ポケット７の上段位置近くまで至っている。
【００３４】
換言すると、送風ダクト１７より受け取った冷気を扉ポケット７の上段７ａ部側に吹き付ける構成に、上記断熱仕切り壁９内に形成されている。
【００３５】
このために、上記冷気通路１８は断熱仕切り壁９の後部より前方に向け形成されており、他方端の開口である吹き出し口１８ｂは扉ポケット上段７ａに近づけて設けられその先端が冷気吹き出し口となっている。
【００３６】
２３は第二の冷気通路であって、一方は上記冷気通路１８の入り口部（冷気通路の一方の開口１８ａの近く）に接続され他方は冷蔵室４の奥部（背面壁部または背面板部）から冷気を吹き出す冷蔵室冷気通路２４に接続されている。この冷蔵室冷気通路２４内の冷気は後述する吹き出し口２５ａから冷蔵室４全体に吹き出されて行く。
【００３７】
２５は冷気通路形成用の冷蔵室仕切り板で、図２，図３に示す如く、冷蔵室冷気通路２４側に断熱材２６を有し、内箱２ａの背面側部分との間に冷蔵室冷気通路２４等を構成している。尚、上記断熱材２６は、冷蔵室仕切り板２５表面に露が付くのを防止する。
【００３８】
そして、第二の冷気通路２３を介して、この冷蔵室冷気通路２４内に導入された冷気の一部は冷蔵室仕切り板２５に設けられた吹き出し口２５ａから冷蔵室４内に細い実線矢印の如く冷蔵室４全体に吹き出され、残りの冷気は細い破線矢印のように野菜等を収納する容器１９側に送られる。送られた冷気は容器１９の外周に沿って流れて容器１９内を間接的に冷却する。
【００３９】
そして、容器１９内を冷却した冷気は容器１９と内箱２ａ間に作られた隙間通路２０を経て図４に示す冷蔵室戻り通路２８を経由して冷却器１６に戻される。
【００４０】
以上の如く、冷蔵室４内に収納された収納物は、冷蔵室扉ポケット７側に吹き出された冷気と冷蔵室仕切り板２５に設けた吹き出し口２５ａから吹き出された冷気とで、冷蔵室内全体を前後から包むように冷却する。これによって、収納物の収納位置に大きな影響を受けることが抑制されて、冷却斑が小さくなり保存性能が一段と向上する。
【００４１】
上記冷凍冷蔵庫の冷気の流れを説明する。冷凍室用送風機１４によって冷気吹き出し口１２から吹き出された冷気は、図２，図３，図４に図示の太い実線矢印の如く、冷凍室３内（収納食品）を冷却した後、冷気吸い込み口１３から冷却器１６に戻る冷気循環を繰り返す。これによって、冷凍室３内温度は、設定された室温になる。
【００４２】
一方、冷蔵室用送風機１５により冷蔵室４側に吹き出される冷気は、図２，図３の細い実線矢印で示す如く、冷却器１６で冷却された後に送風ダクト１７側に送られ、この冷気の一部が冷気通路の一方の開口１８ａを経由して細い実線矢印の如く冷気通路１８に入り、冷気通路１８の他方端の開口１８ｂから扉ポケット７ａの方向に吹き出される。
【００４３】
残りの冷気は、細い実線矢印の如く、冷気通路の一方の開口１８ａから第二の冷気通路２３及び冷蔵室冷気通路２４に入った冷気は、冷蔵室背面の冷蔵室仕切り板に設けた吹き出し口２５ａから冷蔵室４に吹き出される。
【００４４】
そして、上記冷気通路１８の他方端に開口された吹き出し口１８ｂ及び吹き出し口２５ａから吹き出された冷気は、容器１９と内箱２ａ底面部分との間に形成される隙間通路２０に吸い込まれる。
【００４５】
この隙間通路２０には容器１９の外周を冷却した冷気も通る。即ち、容器１９の上面と容器カバー２９との間、或いは上段の容器底壁１９ａ，下段の容器１９との間に形成される冷却用隙間通路２７を通った冷気も、上記隙間通路２０を流通する。そして、これらの冷気は冷蔵室戻り冷気通路２８を通して冷却器１６に戻る。
【００４６】
冷蔵室４を冷却した後の冷気は、図５に図示の実線矢印のとおり、冷却器１６に戻す。この冷却器１６の下部には、冷却器６に付いた霜を除去するガラス管ヒータ３１が設けられている。このガラス管ヒータ３１の表面には、放熱フィン３２を有している。
【００４７】
水受樋３３は、冷却器１６に付いた霜を溶かした除霜水を受ける。樋部３３ａは断熱仕切り壁９を貫通して図に示す如く、該除霜水を排水するための排水パイプ３４の受部３４ａに臨んでいる。
【００４８】
戻りダクト３５は、図４，図５に示す如く、一端が冷蔵室戻り冷気通路２８に連接し他方端が水受樋３３の内側（冷却器１６の下部）に連接している。また、この戻りダクト３５は、図２に示す如く、冷蔵室４の背部中央に設けられた冷蔵室戻り冷気通路２８内を上昇する戻り冷気を冷却器１６の下面に戻すように、水受樋３３の背面部より戻す構造となっている。
【００４９】
次に、本発明の実施例の冷凍冷蔵庫の冷気の流れを図６により説明する。３は冷凍室、４は冷蔵室、１４は冷凍室用送風機、１５は冷蔵室用送風機、１６は冷却器である。
【００５０】
図３に示す冷却器室１１内に設置された電動ダンパー３６は、送風ダクト１７内に設置されて、冷蔵室４に送られる冷気量を調整し、冷蔵室４内の温度を、設定温度を例えば３℃に維持する。
【００５１】
冷凍室３は、冷凍室用送風機１４により送風された冷気が、冷却器１６，冷凍室３，冷却器１６の順に冷気が流れるように形成された冷気循環経路を流れる。冷蔵室４は、冷蔵室用送風機１５により送風された冷気が、冷却器１６，電動ダンパー３６，冷蔵室４，冷却器１６の順に流れるように冷気循環経路を流れる。この冷気循環によって、それぞれの室３，４は所定の温度に冷却される。
【００５２】
電動ダンパー３６は、図２，図３に示す如く冷却器１６の側方に設けた送風ダクト１７内に設けられている。これによって、冷蔵室内を構成する背面板部はフラット化され、棚面積が拡大される。
【００５３】
次に、冷蔵室用送風機１５から送風された冷気が冷蔵室の前部、特に扉ポケット７内の収納品を冷却する流れについて、図７を用いて説明する。
【００５４】
１は冷凍冷蔵庫本体、３は冷凍室、４は冷蔵室、７は冷蔵室扉ポケット、８は飲料水等を収納した貯水タンク、この貯水タンク８はペットボトルでも良い。１４は冷凍室用送風機、１５は冷蔵室用送風機、１６は冷却器、１８は断熱仕切り壁９内に設けられた冷気通路、１８ｂは先の冷蔵室扉ポケット７部に冷気を吹き付ける冷気通路１８の他方端の開口の吹き出し口である。
【００５５】
冷気通路の他方端の開口１８ｂから冷蔵室扉ポケット７方向に吹き出された冷気は、扉ポケット部を上方から冷却して収納品や貯水タンク８内の飲料水を迅速に冷却する。これと同時に扉ポケット７側に吹き出された冷気は、冷蔵室４内の前部に収納された食品等を冷却することとなる。
【００５６】
従って、冷蔵室に収納された食品は、冷蔵室の前後から吹き出される冷気によって斑なく全体的に均一化して冷却される。これによって、食品の保存性は向上する。
【００５７】
次に、外気温や各室の温度状態に応じて、冷凍室冷却運転、及び省エネルギー運転となる冷蔵室冷却運転について図８を用いて説明する。
【００５８】
１４は冷凍室用送風機、１５は冷蔵室用送風機、１６は冷却器、３７は圧縮機である。
これら、冷凍室用送風機１４，冷蔵室用送風機１５，圧縮機３７はインバータ制御され、回転数を数段階に可変できる。また、この冷凍冷蔵庫は図示してないが、外気温度センサー，冷凍室温度センサー，冷蔵室温度センサー等を有している。
【００５９】
そして、この冷凍冷蔵庫本体１は、通常運転，冷凍室冷却運転，冷蔵室冷却運転等の運転モードを備えている。
【００６０】
図８は、上記運転モードに合わせ圧縮機３７，冷凍室用送風機１４，冷蔵室用送風機１５の運転状態を示す。尚、図８の圧縮機の回転数は、例えば高速は４３００ＲＰＭ、中速は３１００ＲＰＭ、低速は２２００〜１５００ＲＰＭを示す。
【００６１】
上記の如く構成することによって、冷凍室冷却運転時には、ハイパワーで迅速に冷凍室を冷却することができ、冷蔵室冷却運転では低速回転で無駄のない省エネルギー運転ができる。
【００６２】
低負荷時と高負荷時の圧縮機及び送風機等の運転状態を説明する。特に、冷蔵室運転と霜冷却運転について説明する。図において、縦軸の圧縮機，冷凍室用送風機，冷蔵室用送風機は回転数の増減を、電動ダンパーは開閉を表している。
【００６３】
上記の機器の回転数等を、外気温が低い低負荷時と、外気温が高い高負荷時に、どのように制御されるかを示す。本実施例の冷蔵庫は、冷蔵室運転，霜冷却運転ができる。
【００６４】
図９において、冷蔵室運転とは、圧縮機の始動時に回転数を１５００ＲＰＭの低速化を図り、冷凍室用送風機の運転はＯＦＦとし、冷蔵室用送風機は低速で回し、電動ダンパーを開き、冷却器が冷えるまでの一定時間、冷蔵室に送風して冷蔵室を冷却する、省エネルギー化を図る運転を言う。
【００６５】
霜冷却運転とは、圧縮機の停止時に、電動ダンパーを開き、冷凍室用送風機は運転をＯＦＦとし、冷蔵室用送風機を運転して冷却器に付着した霜の潜熱で冷却した冷気を冷蔵室に送風して、冷蔵室を冷却する運転をいう。
【００６６】
これによって、冷却器に付着した霜の潜熱を利用して冷蔵室を冷却することができるので、省エネルギー性能の高い冷蔵庫が得られる。
【００６７】
また、上記霜の潜熱で冷却した冷気を冷蔵室に送風することによって、前記冷却器を除霜し、前記除霜がほぼ完了したとみなせるタイミングで、前記冷蔵室への冷気の送風を停止する。すなわち、冷却器に付着した霜が所定量以下に減少した場合において、所定の冷蔵室温度以下になった場合は前記冷蔵室への冷気の送風が停止され、冷蔵室温度が所定の温度以上の場合は冷蔵室への送風を継続すると共に圧縮機を運転する。
【００６８】
以上説明した実施例の構成により、次の効果が得られる。
【００６９】
即ち、冷凍室と冷蔵室を区画する断熱仕切り壁と、前記冷凍室を開閉する冷凍室扉と、前記冷蔵室を開閉する冷蔵室扉と、前記冷凍室の背面側に該冷凍室と区画して設けた冷却器室と、該冷却器室内に配置された冷却器と、前記冷却器室内に配置された冷凍室用送風機及び冷蔵室用送風機と、前記冷却器室から前記冷蔵室に冷気を送る冷気通路と、を備えた冷蔵庫において、前記冷気通路は前記断熱仕切り壁内の後部より前方に向けて形成され、前記冷蔵室用送風機で送風される冷気は、前記冷気通路の前部の第一の吹き出し口から、前記冷蔵室扉に設けた収納部（扉ポケット）の上方から下方に向けて吹き出す。
【００７０】
これにより、冷蔵室前方部分の食品および扉ポケットに収納した食品を速やかに冷却することができ、冷蔵室内の食品の保存性も向上させることができる。
【００７１】
更には熱容量の大きな貯水タンク内の飲料水を冷やす時間を、短縮することができる。
【００７２】
更に、それぞれの室を独立した送風機で冷却することができるので、温度設定，最適冷却を行い易い。また、冷蔵庫が大型化し、冷却器室が冷却器の幅寸法のわりに幅寸法が大きくなっても、この幅寸法が大きくなった分の空間を利用して送風ダクトを構成するので、無効空間が増大することのない冷蔵庫が得られる。
【００７３】
また、冷凍室用送風機，冷蔵室用送風機等によって、冷凍室，冷蔵室に冷気を送風し、上記両室を独立して冷却する冷蔵庫とする。これにより、扉ポケット内に収納される貯水タンク内の飲料水を迅速に冷やすことができる冷蔵庫とすることができる。
【００７４】
また、送風ダクトは冷気を冷蔵室背面から吹き出す第二の冷気通路にも接続されている。これにより、冷蔵室内の食品を冷蔵室の前側上方と後方から冷却するので、冷気の届き難いところに冷気が流れ易くなり、食品の保存性が向上する。
【００７５】
また、送風ダクトの途中に冷気通路等に送風する冷気量を調整する電動ダンパーを設けた。これにより、冷蔵室内の背面板部はフラット化され棚面積が拡大され、実質的な収納量が拡大でき、容積効率が高くなる。
【００７６】
また、前記冷気通路は、冷気を前記冷蔵室背面から該冷蔵室内に吹き出す第二の吹き出し口を備えた第二の冷気通路に接続している。そして、前記第一の吹き出し口から吹き出された冷気、及び前記第二の吹き出し口から吹き出された冷気を前記冷却器室に戻すための戻り通路を、前記冷蔵室背部に設けた。
【００７７】
これによって、収納部（扉ポケット部）及び冷蔵室と熱交換した後、扉ポケット部に収納された食品や貯水タンク内の飲料水は迅速に冷却されることは勿論、冷蔵室内に収納された食品は冷蔵室の前面側上方及び背面から吹き出される冷気により均一に冷却されるので、食品の保存性が向上する。また、扉ポケットに貯水タンクなどの熱容量の大きなものが配設される場合は、貯水タンクに重点的に集中して吹き付ける構成にすることで、貯水タンク内の飲料水が迅速に冷却されると共に、扉ポケットに収納された他の食品も迅速に冷却されて、使用者の満足感を高くすることができる。
【００７８】
また、前記第一の吹き出し口から吹き出された冷気、及び前記第二の吹き出し口から吹き出された冷気を前記冷却器室に戻すための戻り通路は、前記冷蔵室下部に設けた容器と前記冷蔵室底面との間の隙間通路を通った冷気が流れるように冷蔵室背部に設けた。
【００７９】
このようにすると、前側上方からの冷気が容器の前部側の表面に沿って流れて冷却し、背部からの冷気が容器の後部側から容器表面に沿って流れて冷却し、これら前側上方からの冷気と背部からの冷気とによって、容器全体を包み込むように冷却するので、容器全体の温度を均一化できる。これによって、容器内部の温度差によって部分的に生じる露付を抑制できる。冷蔵室の底部に設けた冷気及びカバー上面を流れる冷気で容器内を間接的に冷却することで、野菜等の食品が乾燥したり冷気が部分的に直接冷却されたりすることが防止されるので、野菜等の乾燥しやすい食品の収納に最適な容器とすることができる。
【００８０】
また、冷却器室内に設置される冷凍室用送風機，冷蔵室用送風機は冷却器の上部に位置し、両送風機とも冷却器を経た冷気を吸い込み、冷蔵室用送風機は扉ポケット部及び冷蔵室に向け冷気を吹き出す構成とした。
【００８１】
これによって、冷却器に付着した霜の潜熱を利用して冷蔵室を冷却することができるので、省エネルギー化の図れた冷蔵庫が得られる。
【００８２】
また、冷却器の前面と仕切り板との間、及び冷却器と内箱との間に、着霜分布の偏りをなくす隙間５〜１０mmの空間を冷却器の下方略全域に設ける構成とした。
【００８３】
これによって、冷蔵室への冷気量が増大する大型冷凍冷蔵庫の冷却器であっても、一部冷蔵室の戻り冷気により一部分が早めに霜詰を起こしても、冷却器全体が機能を失うことのない冷蔵庫が得られる。
【００８４】
また、圧縮機の停止時に冷蔵室用送風機を運転して、冷却器に付着した霜の潜熱で冷却した冷気を、冷気通路の前部の吹き出し口１８ｂから下方に位置する冷蔵室扉ポケッット７の上部方向に冷気を吹き出すと共に、冷蔵室背面の冷気通路２４を通して吹き出し口２５ａから冷蔵室に向けて冷気を吹き出して、冷蔵室を冷却するようにした。
【００８５】
これによって、例えば冷蔵室を冷却するのに、冷却器に付着した霜の潜熱を利用して冷蔵室を冷却することができるので省エネルギー化の図れた冷蔵庫が得られる。しかも、冷蔵室扉ポケッット７に近い吹き出し口１８ｂから冷蔵室扉ポケッット７の上部方向に冷気を吹き出して冷却するので、冷蔵庫外部の熱が扉と冷蔵庫の接している部分から熱伝導して冷蔵室扉ポケッット７及びこの近傍を加熱しても、温度上昇を防止若しくは抑制できる。
【００８６】
また、霜の潜熱で冷却した冷気で冷蔵室を冷却するように冷蔵室に送風するとともに、前記冷却器に付着した霜が所定量以下に減少した場合において、所定の冷蔵室温度以下になった場合は前記冷蔵室への冷気の送風が停止され、冷蔵室温度が所定の温度以上の場合は冷蔵室への送風を継続すると共に圧縮機を運転する構成とした。
【００８７】
これによって、省エネルギー性能が高く、冷蔵室内の食品を所定温度の範囲に維持でき、信頼性の高い冷蔵庫を提供できる。
【００８８】
すなわち、各実施例の構成によれば、断熱仕切り壁内の後部より前方に向けて形成された冷気通路に上記送風路を接続し、冷蔵室用送風機で送風される冷気を冷気通路の前部の開口から、冷蔵室扉ポケッット上部方向に冷気を吹き出すようにしたので、冷蔵室前方部分の食品および扉ポケットに収納した食品を速やかに冷却することができ、冷蔵室内の食品の保存性も向上させることができる。
【符号の説明】
【００８９】
１  冷凍冷蔵庫本体
２  箱体
２ａ  内箱
３  冷凍室
４  冷蔵室
５  冷凍室扉
６  冷蔵室扉
７  冷蔵室扉ポケット（収納部）
７ａ  扉ポケットの上段
８  貯水タンク（ペットボトル等）
９  断熱仕切り壁
１０  仕切り板
１１  冷却器室
１２  冷気吹き出し口（冷凍室用）
１３  冷気吸い込み口
１４  冷凍室用送風機
１５  冷蔵室用送風機
１６  冷却器
１７  送風ダクト（冷気通路）
１８  冷気通路
１８ａ  冷気通路後部の開口
１８ｂ  冷気通路前部の開口（吹き出し口）
１９  容器
２０  隙間通路
２１  マウスリング
２２  案内用通路
２３  第二の冷気通路
２４  冷蔵室冷気通路
２５  冷蔵室仕切り板
２５ａ  吹き出し口
２６  断熱材
２７  冷却用隙間通路
２８  冷蔵室戻り冷気通路
２９  容器カバー
３０  棚
３１  ガラス管ヒータ
３２  放熱フィン
３３  水受樋
３３ａ  樋部
３４  排水パイプ
３４ａ  受部
３５  戻りダクト
３６  電動ダンパー
３７  圧縮機
【図１】
0005417382.tif 000002
【図２】
0005417382.tif 000003
【図３】
0005417382.tif 000004
【図４】
0005417382.tif 000005
【図５】
0005417382.tif 000006
【図６】
0005417382.tif 000007
【図７】
0005417382.tif 000008
【図８】
0005417382.tif 000009
【図９】
0005417382.tif 000010